(57)【要約】【課題】色や感度などの撮像条件も加えた制御も行い得るプログラム撮影方法およびこのようなプログラム撮影を行い得る電子撮像装置の提供。【解決手段】テーブル３００には各プログラム撮影モード毎に予め登録変数値が登録されている。登録変数欄３２０は各プログラム撮影モード毎に予め設定した登録変数値（従来の絞り、シャッタースピードに加えて、ズーム方向、強調色、感度、ＷＢ（ホワイトバランス）、ソフトフォーカス処理の可否、クロスフィルタ処理の可否、コントラスト強調の可否）等を登録する登録変数欄３２０からなっている。そして、ユーザがプログラム撮影モードを選択すると、対応のプログラム撮影モードの登録変数欄３００から各編数値が取り出されて、設定され撮影が行われる。【選択図】      図５
2006101558.tif 000002
【特許請求の範囲】
【請求項１】
被写体画像を電気信号に変換して画像として取り込み、表示する電子撮像装置において、
撮影モードを選択すると、複数の撮影モード毎に登録された、色彩制御変数および感度制御変数を含む撮像制御変数の組の中からその選択された撮影モードに対応する撮像制御変数の組を取り出し、
その取り出された撮像御変数の組に含まれる各撮像制御変数に基づいて被写体画像を取り込んで表示し、
撮像指示があると前記取り出された各撮像制御変数の組に含まれる撮影像御変数に基づいて撮像を行う、
ことを特徴とするプログラム撮影方法。
【請求項２】
前記被写体画像の表示中に、前記取り出された撮像制御変数の組に含まれる少なくとも１つの撮像制御変数をユーザ入力に基づいて変更し、
変更後の撮像制御変数を含む各撮像制御変数に基づいて新たに被写体画像を取り込んで表示する、
ことを特徴とする請求項１記載のプログラム撮影方法。
【請求項３】
前記被写体画像の表示中に、前記取り出された撮影制御変数の組に含まれる少なくとも１つの撮像制御変数をユーザ入力に基づいて変更すると共に、その変更された撮像制御変数とそれに対応する登録済みの撮像制御変数から新たな撮像制御変数を得てその登録済みの撮像制御変数と置換する、
ことを特徴とする請求項２記載のプログラム撮影方法。
【請求項４】
被写体画像を電気信号に変換して画像として取り込み、表示する電子撮像装置において、
複数の撮像モード毎に設定された、色彩制御変数および感度制御変数を含む撮像制御変数の組を複数登録した撮像制御変数登録手段と、
撮影モードを選択する撮影モード選択手段と、
その撮影モード選択手段によって撮影モードが選択されると、その選択された撮影モードに対応する撮像制御変数の組を前記撮像制御変数登録手段から取得する撮像制御変数取得手段と、
その撮像制御変数取得手段によって取得された撮像制御変数の組に含まれる各撮像制御変数に基づいて、被写体画像を取り込んで表示する表示制御手段と、
撮像指示手段と、
その撮像手段による撮像指示があったときに前記撮像制御変数取得手段によって取得された撮像制御変数の組に含まれる各撮像制御変数に基づいて撮像を行う撮像手段と、
を備えたことを特徴とする電子撮像装置。
【請求項５】
前記撮像制御変数の組は絞り制御変数、シャッタースピード制御変数、色彩制御変数および感度制御変数の他、下記（１）〜（３）のいずれかまたは全部を含むことを特徴とする請求項４記載の電子撮像装置。
（１）ソフトフォーカス制御変数
（２）クロスフィルタ制御変数
（３）ズーム制御変数
【請求項６】
前記被写体画像の表示中に、前記撮像制御変数取得手段によって取得された撮像制御変数の組に含まれる少なくとも１つの撮像制御変数を変更するための撮像制御変数変更入力手段を備え、
前記表示制御手段はその撮像制御変数変更入力手段による入力に基づいて撮像制御変数が変更されたときには、その変更された撮像制御変数を含む各撮像御変数に基づいて新たに被写体画像を取り込んで表示する、
ことを特徴とする請求項４記載の電子撮像装置。
【請求項７】
前記撮像制御変数変更入力手段による入力に基づいて撮像制御変数が変更されたときには、前記撮像制御変数登録手段に登録済みの撮像制御変数のうちその変更された撮像制御変数に対応する撮像制御変数から新たな撮像制御変数を得てその登録済みの撮像制御変数と置換する撮像制御変数学習手段を備えたことを特徴とする請求項６記載の電子撮像装置。
【発明の詳細な説明】
【技術分野】
【０００１】
本発明はデジタルカメラ等の電子撮像装置の撮影技術に関し、撮影制御変数を撮影対象や撮影場所等に対応させて設定しておき、撮影対象や場所等が選択されると設定された撮像変数によって撮像を行う、いわゆる、プログラム撮影技術に関する。
【背景技術】
【０００２】
従来，銀塩カメラで撮影対象や撮影場所等を設定（或いは選択）すると絞りおよびシャッタースピードおよび焦点距離の組み合わせを所定の撮影シーン毎に設定しておき、露出条件を制御するいわゆるプログラム撮影機能（プログラムＡＥ機能）を備えたものがある。
このようなプログラムＡＥの例としては、
・ポートレートモード（絞りを開放方向で優先してシャッタースピードを決定）
・風景モード（絞りを絞り込み方向で優先してシャッタースピードを決定）
・夜景モード（スローシャッター）
・海岸モード／スキー場モード（絞りを絞り込む方向で優先してシャッタースピードを早くする）
がある。
【発明の開示】
【発明が解決しようとする課題】
【０００３】
銀塩写真では、絞りやシャッタースピードおよび焦点を合わせる距離は選択制御可能であるが、色や感度はフィルムに依存している。従って、カメラ側で選択制御できるのは上述した撮影条件、すなわち、絞り、シャッタースピードおよび焦点距離のみであり、どうしても、色や感度を制御したい場合にはフィルムを変えたり光学フィルタを用いる必要があった。
一方、近年普及しつつあるデジタルカメラ等の電子撮像装置では被写体像を電気信号に変換してデジタルデータとして処理し、画像を得るので、色や感度などの制御をカメラ本体で行うことが可能である。
【０００４】
本発明は、上記課題を解決するためになされたものであり、色や感度などの撮像条件も加えた制御も行い得るプログラム撮影方法およびこのようなプログラム撮影を行い得る電子撮像装置の提供を目的とする。
【課題を解決するための手段】
【０００５】
上記課題を解決するために、第１の発明のプログラム撮影方法は、被写体画像を電気信号に変換して画像として取り込み、表示する電子撮像装置において、撮影モードを選択すると、複数の撮影モード毎に登録された、色彩制御変数および感度制御変数を含む撮像制御変数の組の中からその選択された撮影モードに対応する撮像制御変数の組を取り出し、その取り出された撮像御変数の組に含まれる各撮像制御変数に基づいて被写体画像を取り込んで表示し、撮像指示があると取り出された各撮像制御変数の組に含まれる撮影像御変数に基づいて撮像を行う、ことを特徴とする。
【０００６】
また、第２の発明は上記第１の発明のプログラム撮影方法において、被写体画像の表示中に、取り出された撮像制御変数の組に含まれる少なくとも１つの撮像制御変数をユーザ入力に基づいて変更し、変更後の撮像制御変数を含む各撮像制御変数に基づいて新たに被写体画像を取り込んで表示する、ことを特徴とする。
【０００７】
また、第３の発明は上記第２の発明のプログラム撮影方法において、被写体画像の表示中に、取り出された撮影制御変数の組に含まれる少なくとも１つの撮像制御変数をユーザ入力に基づいて変更すると共に、その変更された撮像制御変数とそれに対応する登録済みの撮像制御変数から新たな撮像制御変数を得てその登録済みの撮像制御変数と置換することを特徴とする。
【０００８】
また、第４の発明の電子撮像装置は、被写体画像を電気信号に変換して画像として取り込み、表示する電子撮像装置において、複数の撮像モード毎に設定された、色彩制御変数および感度制御変数を含む撮像制御変数の組を複数登録した撮像制御変数登録手段と、撮影モードを選択する撮影モード選択手段と、その撮影モード選択手段によって撮影モードが選択されると、その選択された撮影モードに対応する撮像制御変数の組を前記撮像制御変数登録手段から取得する撮像制御変数取得手段と、その撮像制御変数取得手段によって取得された撮像制御変数の組に含まれる各撮像制御変数に基づいて、被写体画像を取り込んで表示する表示制御手段と、撮像指示手段と、その撮像手段による撮像指示があったときに撮像制御変数取得手段によって取得された撮像制御変数の組に含まれる各撮像制御変数に基づいて撮像を行う撮像手段と、を備えたことを特徴とする。
【０００９】
また、第５の発明は上記第４の発明の電子撮像装置において、撮像制御変数の組は絞り制御変数、シャッタースピード制御変数、色彩制御変数および感度制御変数の他、下記（１）〜（３）のいずれかまたは全部を含むことを特徴とする。
（１）ソフトフォーカス制御変数
（２）クロスフィルタ制御変数
（３）ズーム制御変数
また、第６の発明は上記第４の発明の電子撮像装置において、表示中に、撮像制御変数取得手段によって取得された撮像制御変数の組に含まれる少なくとも１つの撮像制御変数を変更するための撮像制御変数変更入力手段を備え、表示制御手段はその撮像制御変数変更入力手段による入力に基づいて撮像制御変数が変更されたときには、その変更された撮像制御変数を含む各撮像御変数に基づいて新たに被写体画像を取り込んで表示する、ことを特徴とする。
【００１０】
また、第７の発明は上記第６の発明の電子撮像装置において、撮像制御変数変更入力手段による入力に基づいて撮像制御変数が変更されたときには、撮像制御変数登録手段に登録済みの撮像制御変数のうちその変更された撮像制御変数に対応する撮像制御変数から新たな撮像制御変数を得てその登録済みの撮像制御変数と置換する撮像制御変数学習手段を備えたことを特徴とする。
【発明の効果】
【００１１】
上記説明したように、第１の発明のプログラム撮影方法および電子撮像装置によれば、従来の銀塩カメラにおける露出制御に加え、強調する色成分の制御やＷＢ制御やコントラスト制御等の色彩制御および感度制御が簡単な選択操作で実現できる。
【００１２】
また、第２の発明のプログラム撮影方法および電子撮像装置によれば、上述の効果に加え、撮像制御の結果を簡単な操作で修正できるので、ユーザの所望の画像を簡単に得ることができる。
【００１３】
また、第３の発明のプログラム撮影方法および電子撮像装置によれば、上述の効果に加え、さらに、撮像制御の結果を簡単な操作で修正したとき、その修正結果により撮像制御変数が自動的に学習されるので、ユーザの好みや撮影環境と登録されている撮像制御変数による撮像結果が異なるような場合でも２回目からはユーザの好みや撮影環境に近い撮像が可能となり、修正操作が減少する。
【発明を実施するための最良の形態】
【００１４】
［回路構成例］
図１は、本発明を適用した電子撮像装置の一実施例としてのデジタルカメラの回路構成例を示すブロック図であり、図１でデジタルカメラ１００は、バス１、画像入力系１０、制御部２０、操作部３０、表示部４０、フラッシュメモリ５０を備えている。なお、音響出力装置６０を設けて、プログラム撮影時に音声による操作ガイドを行うようにしてもよい。
【００１５】
画像入力系１０は、光学系１１，信号変換部１２，信号処理部１３，データ圧縮／伸張部１４，およびＤＲＡＭ１５を有している。
【００１６】
光学系１１は、撮像レンズおよび露出制御機構（ＡＥ）１１１、オートフォーカス機構（ＡＦ）１１２等の光学系機構を含み、被写体からの光を後段の信号変換部１２のＣＣＤ１２１上に結像させる。
【００１７】
信号変換部１２は、ＣＣＤ１２１，ＣＣＤ駆動用タイミング信号生成回路（ＴＧ）１２２，ＣＣＤ駆動用垂直ドライバ１２３，サンプルホールド回路１２４およびＡ／Ｄ変換器１２５を含み、前段の光学系１１を介してＣＣＤ１２１に結像した画像を電気信号に変換し、デジタルデータ（以下、画像データ）に変換して一定の周期で出力する。
【００１８】
信号処理部１３は、カラープロセス回路１３１およびＤＭＡコントローラ１３２を有している。
カラープロセス回路１３１は信号変換部１２からの出力をカラープロセス処理して、デジタルの輝度信号および色差マルチプレクス信号（ＹＵＶデータ）としてＤＭＡコントローラ１３２のバッファに書込む（図２）。ＤＭＡコントローラ１３２はバッファに書込まれたＹＵＶデータをＤＲＡＭ１４の指定領域にＤＭＡ（ダイレクトメモリーアクセス）転送し、展開する。また、ＤＭＡコントローラ１３２は、保存記録の際にＤＲＡＭ１５に書込まれているＹＵＶデータを読み出してデータ圧縮／伸張部１４に書込む。また、被写体画像を表示（スルー画像表示）するために、取込んだ画像データを間引いて表示部４０に送る。また、シャッター操作がされるとその時点の画像データを表示部４０に送って静止画表示させる。
【００１９】
データ圧縮／伸張部１４はＤＭＡコントローラ１３２により取り込まれたＤＲＡＭ１５からのＹＵＶデータにＪＰＥＧ圧縮処理を施す。また、再生モード下で、フラッシュメモリ５０に保存記録されていた画像データに伸張処理を施してＹＵＶデータを再生する。
【００２０】
ＤＲＡＭ１５は作業用メモリとして用いられ、撮像画像を一時的に記憶する画像バッファ領域やＪＰＥＧ圧縮／伸張時の作業用領域および設定値等を記憶する領域等が確保される。
【００２１】
制御部２０はＣＰＵ、ＲＡＭ、プログラム格納用ＲＯＭおよびタイマ等を有したマイクロプロセッサ構成を有しており、ＣＰＵは、上述の各回路および図示しない電源切換えスイッチ等にバス１を介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御、例えば、撮像や記録画像の再生機能の実行等を行なう他、撮影モード下ではプログラム撮影時の撮影条件の設定制御等を行なう。
【００２２】
操作部３０は処理モード切替えスイッチ、機能選択用ボタン、メインスイッチ、撮影モード設定ボタン３５、シャッターボタン３６およびカーソル移動キー３７等のスイッチやキーを構成部分としており、これらのスイッチ或いはキーが操作されると状態信号が制御部２０に送出される。
【００２３】
また、撮影モード設定ボタン３５の操作によりユーザは所望のプログラム撮影モード（たとえば、ポートレートモード、風景モード等）を選択することができる（図３）。
また、ユーザはカーソル移動キー３７を操作して制御部２０の制御により表示部４０の液晶画面（以下、液晶ファインダ４０）に表示されるアイコンを指定することができる。
【００２４】
表示部４０はビデオエンコーダ、ＶＲＡＭおよび液晶画面（ＬＣＤ）等から構成されており、制御部２０の表示制御により、撮像時のスルー画像（被写体画像）および再生時の再生画像、処理選択時の選択用メニューやガイド（或いはアイコン）の表示等を行なう。
【００２５】
フラッシュメモリ５０はデータ圧縮／伸張部１４でＪＰＥＧ圧縮された画像データを保存記録する。また、フラッシュメモリ５０には画像データを記録する領域の他、プログラム撮影用の撮像制御変数登録テーブル３００（図５）や画像データの記録時に当該画像の撮像モードや撮像条件および撮像時間間隔等を登録する画像情報登録リストを記録することもできる。また、プログラム用ＲＯＭに代えてフラッシュメモリ５０に各プログラムを記録するようにしてもよい。なお、フラッシュメモリに代えて着脱可能なＩＣカードを用いるようにしてもよい。
【００２６】
また、音響出力装置６０を設けた場合はプログラム撮像モード下でユーザに特定の操作を促す操作ガイドとしたために登録された音声を出力することができる。なお、音声は音響出力装置６０に音声メモリを備えるようにするか、フラッシュメモリ５０等に登録するようにできる。
［カラープロセス回路］
信号処理部１３のカラープロセス回路１３１では、画像データから輝度信号、色成分信号等を分離し、生成する。
図２はカラープロセス回路１３１の構成例を示すブロック図である。
図２で、カラープロセス回路１３１は、Ｒ成分積分器１３１１，Ｇ成分積分器１３１２，Ｂ成分積分器１３１３，ＡＥ（オートアイリス）用積分器１３１４，ＡＦ（オートフォーカス）用フィルタ１３１５，各種カウンタ１３１６，ＡＷＢ回路１３１７，および信号合成回路１３１８を有している。
【００２７】
ＣＣＤ１２１で光電変換された画像信号は、信号変換部１２のＡ／Ｄ変換器でＡ／Ｄ変換されカラープロセス回路１３１に入力される。
カラープロセス回路１３１では、入力信号に対しオートアイリス（ＡＥ）用信号，オートホワイトバランス（ＡＷＢ）用信号，オートフォーカス（ＡＦ）用信号，およびＹ，Ｃｂ，Ｃｒ信号の生成処理等を行なう。
【００２８】
ＡＥ用積分器１３１４では入力信号を積分してその積分値を出力し、ＡＦ用フィルタ１３１５では入力信号からコントラストオートフォーカス用高周波を検出するため、入力信号に対しハイパスフィルタ（ＨＰＦ）をかけた後にその出力の積分値を出力し、ＡＷＢ回路１３１７ではＲ成分積分器１３１１，Ｇ成分積分器１３１２およびＢ成分積分器１３１３によって積分された各成分の積分値を出力する。これら積分出力は制御部２０に入力され、制御部２０はこれらの信号を基に信号変換部１２のＡＧＣに与えるゲインや、シャッタースピードや、レンズ１１を制御する制御信号を出力する。したがって、上記カラープロセス回路１３１を状態検出手段の一つとして用いることができる。
【００２９】
［プログラム撮影の選択方法の実施例］
１．撮影モード設定ボタンによる選択の例
図３は、プログラム撮影モード選択方法の一実施例を示す図であり、（ａ）は撮影モード設定ボタン３５を頭部に各撮影モード設定位置を記したロータリーボタン型とした例を示す（図では、説明上、符号８０〜９１、・・・で示しているが、実施上は各撮影モードの略称またはそれを意味する図形が記されている）。
【００３０】
図３（ａ）で、例えば、符号８０はプログラム撮影なしの通常撮像モードを示す。また、符号８１〜８９はプログラム撮影モードであり、符号８１はポートレートモード（屋外撮影）を、符号８２はポートレートモード（屋内（蛍光灯））撮影）、符号８３はポートレートモード（屋内（白色灯）外撮影）を、符号８４は風景モード（木、森の撮影）を、符号８５は風景モード（空、海の撮影）を、符号８６は夜景モードを、符号８７は海岸モード／スキー場モード、符号８８は・・・というように各プログラム撮影モードを割り当てる。また、符号９０、・・・にはストロボ撮影モード、・・・というように特殊撮影モードを割り当てることができる。また、符号９９は位置合わせ用矢印であり、ユーザが位置合わせ矢印９９に所望の撮像モード位置を合わせるとそのプログラム撮像モード用のコードが出力される。
【００３１】
２．撮影モード設定ボタンおよびアイコン表示による選択の例
図３（ｂ）は、図３（ａ）で符号８１に“プログラム撮影モード”を代表させて割り当て、ユーザがこのモードを選択すると選択可能なプログラム撮影モードを液晶ファインダ４０にアイコンで表示するようにした例である。
【００３２】
図３（ｂ）で、例えば、アイコン８１’はポートレートモード（屋外撮影）を、アイコン８２’はポートレートモード（屋内（蛍光灯））撮影）、アイコン８３’はポートレートモード（屋内（白熱灯）外撮影）を、アイコン８４’は風景モード（木、森の撮影）を、アイコン８５’は風景モード（空、海の撮影）を、アイコン８６’は夜景モードを、アイコン８７’は海岸モード／スキー場モード、アイコン８８’は・・・というように各プログラム撮影モードを割り当てる。ユーザが所望のアイコンをカーソル移動キー３７を用いて選択すると、対応するプログラム撮像モード用のコードが出力される。また、各アイコン８１’〜・・はフラッシュメモリ５０にアイコン登録領域を設けて予め登録しておくようにするか、アイコン登録用ＲＯＭに格納しておくようにしてもよい。
【００３３】
３．会話型応答による選択の例
図４は、会話型応答によるプログラム撮影モード選択の一実施例を示す図であり、図３（ａ）の撮影モード設定ボタン３５の符号８１に“プログラム撮影モード”を代表させて割り当て、ユーザがこのモードを選択すると選択されたプログラム撮影モードに対応する応答用アイコンを液晶ファインダ４０に順次表示し、ユーザに選択させるようにした例である（この例ではポートレートモード（屋内（蛍光灯））を選択する場合を例としている）。
【００３４】
図４で、先ず、質問画面（ａ）が表示され、撮影対象の選択を促すメッセージ２０１（“なにを撮りますか？”）と、選択可能な撮影対象を示すアイコン２１１〜２１３を表示する。
ユーザがアイコン２１１（撮影対象“人”）を選択すると、次の質問画面（ｂ）が表示され、撮影場所の選択を促すメッセージ２０２（“どこで？”）と、選択可能な撮影場所を示すアイコン２２１、２２２を表示する。
ユーザがアイコン２２１（撮影場所“屋内”）を選択すると、次の質問（ｃ）が表示され、照明条件の選択を促すメッセージ２０３（“照明は？”）と、選択可能な照明を示すアイコン２３１、２３２を表示する。
ユーザがアイコン２３１（照明“蛍光灯”）を選択すると、プログラム撮影モードのうちポートレートモード（屋内（蛍光灯））に対応するコードが出力される。
また、上記の実施例では選択されたアイコンを差別表示（反転表示、ブリンク、強調表示等）してユーザに見やすいようにしている（図のアイコン２１１，２２１，２３１で斜線は差別表示を意味する）。
なお、各応答画面（質問メッセージおよび応答用アイコンはフラッシュメモリ５０にアイコン登録領域を設けて予め登録しておくようにするか、アイコン登録用ＲＯＭに格納しておくようにすることができる。
また、上記（ａ）、（ｂ）の質問画面のメッセージ２０１，２０２を音声音響装置６０からの音声メッセージ出力でおこなうようにしてもよい。
【００３５】
［撮像制御変数登録テーブル］
図５は、選択された各プログラム撮影モードに応じてあらかじめ登録された撮像制御変数値の組（以下、登録変数）を登録した撮像制御変数登録テーブルの一実施例（一部）の説明図である。
図５で、撮像制御変数登録テーブル３００には各プログラム撮影モード毎に予め制御変数値が登録されている。
撮像制御変数登録テーブル３００は、各プログラムモードのコード（例えば、ポートレートモード（屋外撮影）ならコード“０１”、ポートレートモード（屋内（蛍光灯））撮影）ならコード“０２”、・・・風景モード（木、森の撮影）ならコード“０４”・・・）を登録したプログラム撮影モード登録欄３１０と、各プログラム撮影モード毎に予め設定した登録変数値（制御変数）を登録する登録変数欄３２０からなっている。
【００３６】
登録変数欄３００には、絞り値を登録する絞り欄３２１，シャッタースピードを登録するシャッタースピード欄３２２，ズーム方向等を登録するズーム欄３２３，強調色を登録する強調色欄３２４，感度の高低を登録する感度欄３２５、ＷＢ（ホワイトバランス値）を登録するＷＢ欄３２６，ソフトフォーカス処理の可否を登録するソフトフォーカス欄３２７，クロスフィルタ処理の可否を登録するクロスフィルタ欄３２８，コントラスト強調の可否を登録するコントラスト欄３２９が設けられている。
【００３７】
なお、図５の例では、説明上、絞り欄３２１には“開放”或いは、“絞り込む”旨が記されているが実施例では、各プログラム撮影モードに応じて従来のプログラム撮影モードの絞り値と同じ絞り値が登録されている。
また、説明上、シャッタースピード欄３２２には“従来値”、“スロー”或いは“高速”の旨が記されているが、実施例では“標準値”の部分は従来のプログラム撮影モードの値と同じ値が登録され、“スロー”および“高速”とした部分も従来と同様のシャッタースピード値（“スロー”の部分には遅いシャッタースピードが登録され、“高速”の部分には早いシャッタースピード値が登録されている。
また、説明上、ズーム欄３２３には“望遠側”或いは“広角側”の旨が記されているが、実施例では各プログラム撮影モードに応じたズーム方向およびズーム倍率が登録されている。また、ズーム欄３２３で斜線の部分はズームなしを意味する。
【００３８】
また、説明上、強調色欄３２４には“赤”、“緑”、“青”の旨が記されているが、実施例では各撮影モードに応じてカラープロセス回路１３１のＲ成分積分器１３１１の出力、Ｇ成分積分器１３１２の出力、またはＢ成分積分器１３１３の出力に付加する各成分の割合（或いは、所定値）が登録されている。すなわち、ポートレートモードを例とすると、Ｒ成分検出値の一定割（或いは、所定値）をそのＲ成分検出値に付加して人物の顔色に赤みを出すようにする。また、風景モードを例にすると、木や森を撮影する場合には緑を強調するためにＧ成分検出値の一定割（或いは、所定値）をそのＲ成分検出値に付加できるよう、その割合（または、所定値）を登録する。また、風景モードで空や海を撮影する場合には青を強調するためにＢ成分検出値の一定割（或いは、所定値）をそのＢ成分検出値に付加できるよう、その割合（または、所定値）を登録する。
【００３９】
また、説明上、感度欄３２５には“（検出値）”、“アップ”、“ダウン”の旨が記されているが、実施例では各撮像モードに応じてＣＣＤ１２１に与えるゲインの値（０，プラスの所定値（或いは所定割合）またはマイナスの所定値（或いは所定割合）を登録する。なお、“（検出値）”は付加するゲイン＝０を、アップは登録されたプラスの所定値（或いは所定割合）またはマイナスの所定値（或いは所定割合）を付加することを意味する。
また、説明上、ＷＢ欄３２６には“太陽光用ＷＢ”、“蛍光灯用ＷＢ”、或いは“白熱灯用ＷＢ”の旨が記されているが、実施例では各プログラム撮影モードに応じて、カラープロセス回路のＡＢＷ回路１３１７の出力に付加（或いは、減ずる）するホワイトバランス値の割合或いは所定地が登録されている。
また、ソフトフォーカス欄３２７には各プログラム撮影モードに応じて、ソフトフォーカス処理をするかしないかの別がコードで登録されている。同様に、クロスフィルタ欄３２８にはクロスフィルタ処理をするかしないかの別がコードで登録されている。
また、コントラスト欄３２９には各プログラム撮影モードに応じて、コントラスト強調処理をするかしないかの別が登録されており、コントラスト強調処理を行う場合にはカラープロセス回路１３１の輝度出力値に付加する所定割合または所定値が登録されている。
【００４０】
ユーザが撮影モード中の選択可能なプログラム撮影モードを選択すると、図６（ステップＳ３）に示すようにそのプログラム撮影モードに対応する登録変数（＝登録されている撮影条件変数）が設定される。
【００４１】
なお、本実施例では撮像制御変数登録テーブル３００の登録変数欄３２０に絞り欄３２１〜コントラスト欄３２８の８つの欄を設けたが、これに限定されない。また、登録する変数の種類も上述したものに限定されない。
また、本実施例では、変数自動設定テーブル３００をフラッシュメモリ５０に登録するようにしたが、プログラム用ＲＯＭに格納するようにしてもよく、また、プログラム撮影用プログラムの内部テーブルとしてもよい（フラッシュメモリ５０に登録するようにした場合には、後述の変形例２（図８（ｂ））に示すように登録変数について学習結果を再登録するようにしてもよい）。
＜実施例１＞
図６は、本発明のプログラム撮影モード選択時のデジタルカメラ１００の動作例を示すフローチャートであり、撮影モード設定ボタン３５（図３（ａ））（または、撮影モード設定ボタン３５およびプログラム撮影モード選択用アイコン（図３（ｂ））を用いた例である。
【００４２】
ステップＳ０：（撮影モードの選択）
ユーザは撮影モード設定ボタン３５を操作して撮影モードを選択する。この場合、ユーザが撮影モード設定ボタン３５で所望のプログラム撮影モード（（図３（ａ）の例では符号８１〜符号８９（ポートレートモード（屋外）〜海岸モード／スキー場モード・・・）のいずれか、図３（ｂ）の例では撮影モード設定ボタン３５でプログラム撮影モード８１を選択し、液晶ファインダ４０に表示されるアイコン８１’〜８８’・・・のいずれか）を選択すると対応のコードが出力される。
【００４３】
ステップＳ１：（プログラム撮影モードを選択したか否かの判定）
制御部２０は、操作部３０からの出力信号を調べ、撮影モード選択ボタン３５が押された場合には、さらに、プログラム撮影モード用のコード（例えば、“０１”〜“０９”）が出力されているか否かを調べ、プログラム撮影用のコードが出力された場合（＝制御部２０がプログラム撮影モード用のコードを受け取った場合）にはフラッシュメモリ５０に登録されているフラッシュメモリ５０に登録された撮像制御変数登録テーブル３００を読み出して制御部２０のＲＡＭ（または、ＤＲＡＭ１５）に記憶し、Ｓ２に遷移する。
【００４４】
ステップＳ２：（登録変数の取り出し）
制御部２０はプログラム撮影モード用のコードを受け取ると、それをキーとして制御部２０のＲＡＭ（または、ＤＲＡＭ１５）に記憶された撮像制御変数登録テーブル３００のプログラム撮影モード登録欄３１０をサーチして対応する登録変数を取り出して、Ｓ４に遷移する。
【００４５】
ステップＳ３：（登録変数の設定）
制御部２０は上記ステップＳ２で取り出した登録変数を選択されたプログラム撮影モード用の撮影条件変数として設定し、Ｓ４に遷移する。
【００４６】
ステップＳ４：（画像の取り込みおよび設定値に基づく制御）
被写体画像が画像入力系１０によって取り込まれるが、制御部２０はＡＥ用積分器１３１４からの光量値やオートフォーカス機構からの距離データと設定された撮影条件（絞り、シャッタースピード）を基に露出条件を得て自動露出機構１１１を制御するととともに、カラープロセス回路１３１の出力等に設定された（撮影制御変数を付加したり設定値に基づく処理を行って、取り込まれた画像データの色や感度、ホワイトバランス（ＷＢ）等の制御（変更）を行う。また、設定値に応じて、ソフトフォーカス処理やクロスフィルタ処理、或いはコントラストの強調処理を行う（図５）。
【００４７】
ステップＳ５：（スルー画像表示）
制御部２０は上記ステップＳ４で得た画像をＤＲＡＭ１５に記憶すると共に、液晶ファインダ４０にスルー画像像表示する。
【００４８】
ステップＳ６：（撮像操作）
ユーザが液晶ファインダ４０にスルー画像像表示されたスルー画像を見て、所望のタイミングでシャッターボタン３６を操作（押し下げ）すると撮像が行われ、Ｓ７に遷移する。
【００４９】
ステップＳ７：（保存記録処理）
画像の制御部２０はシャッターボタン３６の押し下げ時点に取り込まれた画像をデータ圧縮／伸長部１４でＪＰＥＧ圧縮処理させてフラッシュメモリ５０に保存記録する。
上記動作により、選択されたプログラム撮影モードに対応する撮影条件が撮像制御変数登録テーブル３００から取り出されて、従来行われてきた露出制御に加え、色や、感度トン、従来、銀塩カメラでは特別に光学フィルタ等を取り付けなければ行えなかった色や感度等の制御が簡単な選択操作で実現できる。
また、上記フローチャートでは撮影モード設定ボタン３５を操作して（または、撮影モード設定ボタン３５を操作してからアイコンを指定して）プログラム撮影撮影モードを選択したが、これに限定されず、例えば、図４に示したように液晶ファインダ４０にメッセージおよびアイコンを順次表示して、ユーザとの対話により自然な流れでプログラム撮影モードと登録変数を選択できるようにしてもよい（この場合は、上記フローチャートのステップＳ２，Ｓ３を対話による登録変数の設定動作ブロックに変えればよい）。
【００５０】
［変形例１］
図６のフローチャートでは設定された撮影条件に基づいて取り込まれた画像をスルー表示し（Ｓ５）、ユーザはスルー画像をみて所望のアングルでシャッターボタンを押すと撮像がなされるようにしたが（Ｓ６）、設定された撮影条件に基づいて取り込まれた画像をスルー表示し、それをみたユーザが画像の色や感度等の値を修正（微調整）できるようにすることもできる。
【００５１】
図７（ａ）は図６の動作に加えて変数の修正を可能とした変形例の動作を示すフローチャートであり、図８は設定された制御変数の修正入力画面の（スルー画像表示画面）一実施例を示す図である。なお、図７でステップＳ０〜Ｓ５の動作とステップＳ７の動作は図６（実施例１）の動作と同様であり、ステップＳ６の動作だけが異なる。
【００５２】
変形例１では、図６のステップＳ０〜Ｓ４を経てステップＳ５で設定された撮影条件に基づくスルー画像が表示された後、ステップＳ６では下記Ｓ６−１〜Ｓ６−４の動作（図７（ａ））を行う。
【００５３】
Ｓ６−１：（撮像操作の判定）
ユーザはスルー画像を見てそれを撮像する場合にはシャッターボタン３６を全押しし、色や感度等を修正（微調整）したい場合にはシャッターボタン３６を半押しする。制御部２０は操作部３０からの状態信号を調べて、シャッターボタン３６が全押しされた場合にはＳ７に遷移して撮像画像の保存記録処理を行う。また、シャッターボタン３６が半押しされた場合には変数修正操作を行うためにＳ６−２に遷移する。
【００５４】
Ｓ６−２：（登録変数修正用アイコンの重畳表示）
制御部２０は液晶ファインダ４０にスルー画像に修正可能な登録変数を表すアイコンを図８に示すように重畳表示する。図８の例では風景モード（木、森）で、修正可能なアイコンとして緑色調整アイコン２２５、感度調整アイコン２２６，コントラスト調整アイコン２２９が重畳表示されている（アイコンの上部左端に表示されている＋記号はこの例ではアイコンの左側をポイントすると変数値が増加方向に変更されることを意味し、上部右端に示されている−記号はアイコンの右側をポイントすると変数値が減少方向に変更されることを意味する）。また、これらアイコンは色彩関係の変数については現在の色調が表示され、感度や等値の大きさで表されるものについては数値をアイコンに表示する。また、特定色の濃度やアイコン内に表示される色面積の大きさ等で値の大きさを表すようにしてもよい。
【００５５】
Ｓ６−３：（修正操作）
ユーザはスルー画像上に表示された変数を修正したいアイコンの左端或いは右端を移動カーソルキー３７でポイントする。
【００５６】
Ｓ６−４：（設定値の修正）
ユーザが所望のアイコンをポイントすると制御部２０はポイントの回数（又は、ポイント時間）比例させ設定値に修正値（増減値（±Δｋ））を加算して設定値を修正し（すなわち、設定値＝設定値±Δｋとして変更（修正）される）、Ｓ４に戻る。
【００５７】
上記構成により、ユーザは撮像制御変数登録テーブル３００に登録された撮影制御変数（登録変数）をもとに得た画像に不満がある場合には、簡単な操作で画像の色や感度等を調整できる。
なお、上記ステップＳ６−２では色や感度に関する修正アイコンを表示したが、これに限定されず、選択されたプログラム撮影モードで修正可能なアイコンを表示するようにすればよい。また、修正用アイコンの表示に変えて直接修正したい画像部分をポイントしてその部分の色を変更できるようにしてもよい。
【００５８】
［変形例２］
上記変形例１（図７（ａ））では撮像モードが終わると修正値はクリアされるので、例えば、ユーザが色の強調について登録変数を基にした画像表現とは異なる好みを持っている場合には常に変更操作をしなけらばならないし、また、季節により色が徐々に変わっていくような場合にも（山の緑）、常に変更操作を行う必要がある。
本変形例ではこのような問題点を解決するために、図７（ａ）のフローチャートの一部（ステップＳ６−４）を変更して、撮影条件変数登録テーブル３００の登録変数をユーザの所望の変数に近づけるように変更する（いわゆる、“学習機能”を持たせる）ようにした例である。
【００５９】
図７（ａ）のステップＳ６−３で修正操作がなされた後、ステップＳ６−４では、下記ステップＳ６−４−１〜Ｓ６−４−３の動作（図７（ｂ））を行う。また、撮像後にはステップＳ７での撮像画像保存処理時に、制御部２０のＲＡＭ（または、ＤＲＡＭ１５）に記憶されていた撮像制御変数登録テーブル３００（撮像制御変数が更新されている）でフラッシュメモリ５０に保存記録されている撮像制御変数登録テーブルを置換（書き換え）する。
【００６０】
ステップＳ６−４−１：（平均値の算出）
制御部２０は、選択されたプログラム撮影モードの変数値について、修正値とそれに対応する撮像制御変数登録テーブル３００に登録された制御変数との平均値を算出する（例えば、風景モード（木、森）での緑色の修正値と撮像制御変数登録テーブル３００の登録変数欄３２０の強調色欄３２４の内容（緑強調用制御変数値）との平均値を算出する）。
【００６１】
ステップＳ６−４−２：（撮像制御変数登録テーブルの登録変数の更新）
制御部２０は上記ステップＳ６−４−１で得た平均値で登録変数欄３２０に登録されている対応の撮像制御変数を置換する。
【００６２】
ステップＳ６−４−３：（設定値の修正）
制御部２０は設定値に修正値を加算して設定値を修正しＳ４に戻る。
上記構成により、ユーザは撮影条件変数登録テーブル３００に登録された撮影条件変数（登録変数）をユーザの修正値で学習してユーザの所望の値に近づける。そして、プログラム撮影処理が終わるとそれを保存記録し、次に、同じプログラム撮影モードが選択された場合に学習後の撮像制御変数を用いることができるので、変数を修正する頻度が減少し、ユーザの撮影感覚に近づいたプログラム撮影を実現できる。
なお、上記ステップＳ６−４−１では修正値とそれに対応する撮影条件変数登録テーブル３００に登録されていた撮像制御変数との平均値を算出して、元の撮像制御変数を更新することにより学習を行うようにしたが、これに限定されず、公知の方法により学習するようにしてもよい。
【００６３】
以上、本発明のいくつかの実施例および変形例について説明したしたが、本発明は上記実施例や変形例に限定されるものではなく、種々の変形実施が可能であることはいうまでもない。
【図面の簡単な説明】
【００６４】
【図１】本発明を適用した電子撮像装置の一実施例としてのデジタルカメラの回路構成例を示すブロック図である。
【図２】カラープロセス回路の構成例を示すブロック図である。
【図３】プログラム撮影モード設定ボタンの一実施例を示す図である。
【図４】会話型応答による選択の一実施例を示す図である。
【図５】撮影条件変数値を登録した撮影条件変数登録テーブルの一実施例の説明図である。
【図６】本発明のプログラム撮影モード選択時のデジタルカメラの動作例を示すフローチャートである。
【図７】変形例の動作を示すフローチャートである。
【図８】登録変数の修正入力画面の一実施例を示す図である。
【符号の説明】
【００６５】
１０  画像入力系（撮像手段）
２０  制御部（撮像制御変数取得手段、表示制御手段、撮像制御変数学習手段）
３５  撮影モード設定ボタン（撮影モード選択手段）
３６  シャッターボタン（撮像指示手段）
３７カーソル移動キー（撮影モード選択手段、撮影制御変数変更入力手段））
８１’〜８８’、２１１〜２１３，２２１，２２２，２３１，２３２  アイコン（撮影モード選択手段）
１００  デジタルカメラ（電子撮像装置）
２２５，２２６，２２９  アイコン（撮影制御変数変更入力手段）
３００  撮像制御変数登録手段
３２０  登録変数（撮像制御変数の組）
３２４  強調色（色彩制御変数）
３２５  感度（感度制御変数）
３２６  ＷＢ（色彩制御変数）
３２９  コントラスト（色彩制御変数）
【図１】
2006101558.tif 000003
【図２】
2006101558.tif 000004
【図３】
2006101558.tif 000005
【図４】
2006101558.tif 000006
【図５】
2006101558.tif 000007
【図６】
2006101558.tif 000008
【図７】
2006101558.tif 000009
【図８】
2006101558.tif 000010